(57)【要約】【課題】健康データを収集するという本来の機能に満足している使用者だけでなく、更に豊富な機能を使った充実したサービスの提供を希望する使用者まで、幅広い層に対応した健康データ収集装置を提供するものである。【解決手段】制御部８は、表示部７と操作部１、入力部９、外部と通信可能な通信部１０を制御しており、またパソコン接続端子１１を介してパソコンを制御できることにより、パソコンの複雑な操作を行うことなくパソコン特有のグラフィカルな表示を用いて機能拡張ができるものである。【選択図】  図２
2004267510.tif 000002
【特許請求の範囲】
【請求項１】
使用者が操作をするための操作部と、表示をするための表示部と、健康データを入力するためのデータ入力部と、通信回線を通じて外部の通信先と通信するための通信部と、パソコンと接続するパソコン接続端子を備え、前記パソコン接続端子を介してパソコンと接続できるようにした健康データ収集装置。
【請求項２】
パソコン接続端子を介してパソコンと接続したときに、制御信号をパソコンに出力して健康データ収集装置の機能を拡張できるようにした請求項１の健康データ収集装置。
【請求項３】
拡張機能は使用方法を説明するための補助機能である請求項２の健康データ収集装置。
【請求項４】
拡張機能はテレビ電話機能である請求項２の健康データ収集装置。
【請求項５】
拡張機能はカメラを用いて画像データを収集する機能である請求項２の健康データ収集装置。
【請求項６】
拡張機能は蓄積した健康データをグラフ化して表示するグラフ機能である請求項２の健康データ収集装置。
【発明の詳細な説明】
【０００１】
【発明の属する技術分野】
本発明は、医師と健康情報のやり取りを行なうための健康データ収集装置に関するものである。
【０００２】
【従来の技術】
従来の健康データ収集装置は、図８に示すように、健康データ収集装置本体の操作を行う操作部３１と、画面に出力結果を表示する表示部３２と、体温計３３や血圧計３４、血糖計３５から得られた健康データが赤外線などの通信手段やキーボードなどを用いて入力される入力部３６と、外部との通信を行う通信部３７が制御部３８により制御されており、収集した健康データは通信部３７より通信回線３９を介し外部のサーバと通信可能となっている。
【０００３】
収集した健康データは、外部の通信回線３９を通じて医療機関などに設置されたサーバに伝えられ、医師等がサーバに蓄えられたデータにアクセスすることにより遠隔的に使用者の健康情報を知ることができる。
【０００４】
また、医師と使用者に物理的距離がある場合でも使用者の健康データを医師が把握でき、医師と使用者が相互に行き来することが充分できない場合でも充実した健康ケアが行える（特許文献１参照）。
【０００５】
【特許文献１】
特開平９−４９８号公報（第１図参照）
【０００６】
【発明が解決しようとする課題】
上記のような通常の健康データ収集装置は、使用者の血圧や体温などの健康データを収集し、通信回線を通じて相手方に送るという機能を果たしており、大部分の使用者はその機能に満足している。そのため、製造業者は健康データ収集装置の高機能化を目指すよりも必要最小限の構成にし、無駄なコストをかけないように努めている。
【０００７】
しかし、一方で、健康ケアサービスを提供する側からの様々な要求があり、健康データ収集装置の機能変更が必要となることもある。
【０００８】
例えば、健康データ収集装置の操作方法を十分に理解していない使用者は、収集したデータをサービス提供者に正常に送ることができず、サービス提供者は十分なサ一ビスを行なえない場合が考えられる。
【０００９】
この場合、サービス提供者は電話等の通信手段を用いて、あるいは訪問などによって解消を図っているが、このような解消方法では健康データ収集装置の利点が全く活かされていないことになる。
【００１０】
上記課題に対して、絵や音などを使用して血圧計等の使用方法をガイドしたり、サービス提供者とテレビ電話によりコミュニケーションをとる手段が考えられるが、こうした機能を健康データ収集装置そのものにあらかじめ備えておくと、装置が大掛かりとなるだけでなく、コストがかかる。
【００１１】
また、ガイド機能やテレビ電話を搭載したパソコンを健康データ収集装置の代わりとして使用する手段も考えられるが、パソコン操作に不慣れな使用者にとっては非常に使いにくいものとなってしまう。
【００１２】
本発明は上記課題を解決するものであり、健康データを収集するという本来の機能に満足している使用者だけでなく、豊富な機能を使った充実したサービスの提供を希望する使用者まで、幅広い層に対応した健康データ収集装置を提供するものである。
【００１３】
【課題を解決するための手段】
上記の課題を解決するために本発明は、使用者が操作をするための操作部と、表示をするための表示部と、健康データを入力するためのデータ入力部と、通信回線を通じて外部の通信先と通信するための通信部と、パソコンと接続するパソコン接続端子を備え、パソコン接続端子を介してパソコンと接続できるようにすることにより、収集した健康データを送るという基本機能のみが必要な使用者だけでなく、パソコン接続端子を設けることによりパソコンを制御し、パソコンの持っている機能を活かした多機能かつ高機能なサービスを使用者に提供するものである。
【００１４】
【発明の実施の形態】
本発明は、使用者が操作をするための操作部と、表示をするための表示部と、健康データを入力するためのデータ入力部と、通信回線を通じて外部の通信先と通信するための通信部と、パソコンと接続するパソコン接続端子を備え、パソコン接続端子を介してパソコンと接続できるようにすることにより、収集した健康データを送るという基本機能のみが必要な使用者だけでなく、パソコン接続端子を設けることによりパソコンを制御し、パソコンの持っている機能を活かした多機能かつ高機能なサービスを使用者に提供するものである。
【００１５】
また、パソコン接続端子を介してパソコンと接続したときに制御信号をパソコンに出力して機能を拡張できるようにすることにより、単純な操作パネルからパソコンの操作が行え、パソコンの操作に不慣れな使用者にとっても使い勝手が良く、様々な要求をもった多くの使用者の希望に沿ったサービスを提供できるものである。
【００１６】
また、使用方法を説明するための補助機能を設けることにより、パソコンの高度な画像表現力や音声表現力を駆使して、グラフィカルでインタラクティブな操作説明を使用者に対して提供することができ、体温計・血圧計・血糖計などの計測機器の正しい使用方法の情報を提供することができるものである。
【００１７】
また、テレビ電話機能を設けることにより、直接会うことが出来ないサービス提供者との間でコミュニケーションが円滑に行われ、指導や伝達事項などを確実に伝えることができるものである。
【００１８】
また、カメラを用いて画像データを収集する機能を設けることにより、例えば在宅での使用者が居る環境や、食事などを詳しい説明をすることなしに画像で送ることができ、より確実な情報伝達をはかる一助とすることができるものである。
【００１９】
また、蓄積した健康データをグラフ化して表示するグラフ機能を設けることにより、健康データ収集装置の表示部では表示できない日々の健康データの推移などをグラフィカルに表示し、使用者にわかりやすい状態で提供することができるものである。
【００２０】
【実施例】
以下、本発明の健康データ収集装置を実施例に基づいて説明する。
【００２１】
本実施例の健康データ収集装置は、図１に示すように、血圧、体温、血糖値を測定するための操作部１とテレビ電話ボタン２、カメラボタン３、グラフボタン４、操作ヘルプボタン５および通信を行うための通信ボタン６と健康データ等のデータを表示する表示部７から構成されている。
【００２２】
また、図２に示すように、制御部８は、表示部７と操作部１、入力部９、外部と通信可能な通信部１０を制御しており、またウルトラシリアルバス（ＵＳＢ）やシリアルポートなど一般的なパソコンに付属するインターフェースに接続することができるパソコン接続端子１１を介してパソコンを制御できることを示しており、図２（ａ）はパソコンが接続されていない状態を、図２（ｂ）はパソコンが接続されている状態を表している。
【００２３】
入力部９は、体温計１２、血圧計１３、血糖計１４の健康データをシリアル通信等の有線手段、赤外線や電波による無線手段、キーボードやタッチパネルの手動等による入力手段を用いて入力できる構成となっている。
【００２４】
健康データ収集装置がパソコンに接続されていないとき、入力部９から収集された健康データは、通信部１０から公衆電話回線やローカルエリアネットワークやインターネットなどの通信回線１５を通じて外部の通信先へと送信される。また、健康データ収集装置がパソコンに接続されているときは、パソコンから通信回線１５を通じて外部の通信先へと送信される。
【００２５】
図３に、本実施例の動作フローチャートを示す。
【００２６】
健康データ収集装置がパソコンと接続されていないとき、操作部１と通信ボタン６による操作が可能であり、テレビ電話ボタン２、カメラボタン３、グラフボタン４及び操作ヘルプボタン５は押しても作動しないように設計されている。
【００２７】
使用者は操作部１から操作を行い、体温や血圧、血糖値等を測定したり、通信ボタン６を押すことによって過去に収集した健康データを通信部１０により通信回線１５を通じて通信先であるサーバに転送したりして使用する。
【００２８】
健康データ収集装置がパソコンと接続されているとき、操作部１と通信ボタン６だけでなく、テレビ電話ボタン２、カメラボタン３、グラフボタン４及び操作ヘルプボタン５による操作が可能となり、希望するサービスのボタンを押すと、健康データ収集装置からあらかじめパソコン接続端子１１と接続するためのソフトウェアがインストールされたパソコンに制御データが送信される。
【００２９】
以下、テレビ電話ボタン２、カメラボタン３、グラフボタン４及び操作ヘルプボタン５が操作されたときの操作説明をそれぞれ行い、まずテレビ電話ボタン２を操作された時の動作説明図を図４に示す。
【００３０】
パソコン周辺にはカメラ１６とマイク１７がセットされており、テレビ電話ボタン２が操作されると、サービス提供者がパソコンのモニタ１８に映し出される。本実施例では、一例としてサービス提供者を医師としており、健康データ収集端末を操作している使用者はカメラ１６に向き、もにた１８を見ながらマイク１７を通じて医師とコミュニケーションをとることができる。
【００３１】
次に、カメラボタン３を操作された時の動作を図５に示す。
【００３２】
カメラボタン３が押されると、パソコンに備えられたカメラ１６の映像がパソコンのモニタ１８に映し出される。従来では、限られた表示部７の中では撮った画像を確認することもできなかったが、パソコンに接続することにより、より鮮明な画像を取り込み確認することができ、サービスを提供する側にとってもより充実したサービスが提供できることとなる。
【００３３】
次に、グラフボタン４が操作された時には図６のようにモニタ１８にグラフが表示される。健康データ収集装置の表示部７では、その表示面積に限界があるため表示内容が限定されるが、パソコンの強力なグラフィック表示能力を用いて精細な画像でグラフが表示でき、日々の状態をより正確に把握することができる。
【００３４】
最後に、操作ヘルプボタン５を押した時には、体温計１２、血圧計１３、血糖計１４などの各測定器の使用方法の詳細な説明や、健康データ収集装置そのものの詳細な説明を得ることができる。図７は体温計１２の正しい測定方法をガイダンスしているものである。
【００３５】
画像で直接使用方法を説明できるので、文字情報や音声のみのガイダンスと比べ、正確な使用方法を簡単に伝達することができ、正確な測定に寄与する。
【００３６】
さらに、サービス提供者と直接の使用者の物理的距離が離れていたとしても、充実した説明を提供することができるので、高品質のサービスが低コストで提供できるようになる。
【００３７】
なお、更に操作を分かり易くするために、健康データ収集装置がパソコンと接続されていないときは、操作部１にあるボタンと通信ボタン６のみが発光し、また、パソコンと接続されているときは、操作部１にあるボタンと通信ボタン６だけでなく、テレビ電話ボタン２、カメラボタン３、グラフボタン４及び操作ヘルプボタン５が発光するようにし、操作性を良くすることができる。
【００３８】
このように本実施例によれば、収集した健康データを送るという基本機能のみが必要な使用者だけでなく、パソコン接続端子を設けることによりパソコンを制御し、シンプルな操作でパソコンの持っている機能を活かした多機能かつ高機能なサービスを使用者に提供するものであり、健康データ収集装置の価格が低く抑えられ、遠隔での健康管理サービスが安価に提供できる。
【００３９】
また、健康データ収集装置からパソコンを直接コントロールできるので、パソコンの複雑な操作に不慣れな使用者でも、健康データ収集装置の操作方法さえ理解できれば、パソコンに特有なグラフィカルな表示を用いたガイダンスや、テレビ電話、画像処理やグラフ機能などを使用することができ、パソコンは苦手であるといった使用者の負担を軽減するばかりか、誤りなども生じることなく、正確にデータ収集ができるようになる。
【００４０】
【発明の効果】
以上のように本発明の健康データ収集装置によれば、使用者が操作をするための操作部と、表示をするための表示部と、健康データを入力するためのデータ入力部と、通信回線を通じて外部の通信先と通信するための通信部と、パソコンと接続するパソコン接続端子を備え、パソコン接続端子を介してパソコンと接続できるようにすることにより、収集した健康データを送るという基本機能のみが必要な使用者だけでなく、パソコン接続端子を設けることによりパソコンを制御し、シンプルな操作でパソコンの持っている機能を活かした多機能かつ高機能なサービスを使用者に提供するものである。
【図面の簡単な説明】
【図１】本発明の実施例における健康データ収集装置の外観図
【図２】同健康データ収集装置の構成図
【図３】同健康データ収集装置の動作フローチャート
【図４】同健康データ収集装置の外観図
【図５】同健康データ収集装置の外観図
【図６】同健康データ収集装置の外観図
【図７】同健康データ収集装置の外観図
【図８】従来の健康データ収集装置の構成図
【符号の説明】
１  操作部
２  テレビ電話ボタン
３  カメラボタン
４  グラフボタン
５  ヘルプボタン
６  通信ボタン
７  表示部
８  制御部
９  入力部
１０  通信部
１１  パソコン接続端子
１２  体温計
１３  血圧計
１４  血糖計
１５  通信回線
１６  カメラ
１７  マイク
１８  モニタ
【図１】
2004267510.tif 000003
【図２】
2004267510.tif 000004
【図３】
2004267510.tif 000005
【図４】
2004267510.tif 000006
【図５】
2004267510.tif 000007
【図６】
2004267510.tif 000008
【図７】
2004267510.tif 000009
【図８】
2004267510.tif 000010